(57)【特許請求の範囲】
【請求項１】
妻行き方向の複数の第１の上弦材と桁行き方向の複数の第２の上弦材が交互に直交して複数の格点を形成し、
全ての格点のうちの幾つかの格点から鉛直方向に束材が垂下され、
平面的に見て妻行き方向および桁行き方向以外の斜め方向に延びる引張材が、前記束材の下端と該束材が垂下されていない格点の間に架け渡されている、屋根架構を備えている、張弦梁構造体。
【発明の詳細な説明】
【技術分野】
【０００１】
本発明は、屋根架構に特徴のある張弦梁構造体に関するものである。
【背景技術】
【０００２】
アリーナや体育館等の大空間構造物の屋根架構には、張弦梁構造体が一般に適用されており、たとえば特許文献１にも張弦梁構造体を屋根架構に適用してなるＸ型交差張弦梁構造体が開示されている。
【０００３】
特許文献１で開示されるＸ型交差張弦梁構造体は、以下の構成からなるものである。すなわち、平面視矩形状をなす大型建築物の屋根面の骨組み構造であって、上弦材、下弦材、方杖材及び上弦巾止小梁から構成され、上弦材はアーチ状をなしており、その各両端部はスパン方向筋向いの支持体の上端部に亘って架設されるとともに各上弦材はその中央部でＸ状に交差結合され、各隣り合う上弦材の端部は支持体上端部の同一箇所に固定されている。下弦材は対向する支持体上端部における上弦材固定部間に亘って張設され、方杖材は下弦材に沿って所定間隔ごとに配置され、隣り合う上弦材と下弦材間に張設され、上弦巾止小梁は隣り合う上弦材間に張設されている。
【０００４】
このＸ型交差張弦梁構造体によれば、立体交差梁と張弦構造を併用することにより、水平面の剛性の確保が良好であり、組立作業を安全かつ容易に行えるとしている。
【０００５】
特許文献１に開示される張弦梁構造体を含め、通常の張弦梁構造体は一般に、主として上弦材と束材、および引張材（テンション材）から構成され、屋根荷重等による鉛直力を引張材で負担し、地震時水平力を屋根面内のブレス材で負担するようにしている。
【先行技術文献】
【特許文献】
【０００６】
【特許文献１】特開２００４−２６３３８３号公報
【発明の概要】
【発明が解決しようとする課題】
【０００７】
上記する従来の張弦梁構造体では、特に地震時水平力を負担する多数のブレス材を必須の構成とすることから、張弦梁構造体を構成する部材数が多くなり、意匠的にも煩雑な印象を与えることは否めない。
【０００８】
本発明は上記する問題に鑑みてなされたものであり、張弦梁構造を採用しながら、屋根架構の構造部材数を低減し、かつ部材をスリム化することで意匠性を向上させることのできる張弦梁構造体を提供することを目的としている。
【課題を解決するための手段】
【０００９】
前記目的を達成すべく、本発明による張弦梁構造体は、妻行き方向の複数の第１の上弦材と桁行き方向の複数の第２の上弦材が交互に直交して複数の格点を形成し、全ての格点のうちの幾つかの格点から鉛直方向に束材が垂下され、平面的に見て妻行き方向および桁行き方向以外の斜め方向に延びる引張材が、束材の下端と束材が垂下されていない格点の間に架け渡されている、屋根架構を備えているものである。
【００１０】
本発明の張弦梁構造体は、その構成要素である屋根架構の具備する引張材（テンション材）が、平面的に見た際に妻行き方向と桁行き方向以外の斜め方向に配設されていることに加えて、側面視でも斜め方向に配設されている点に一つの特徴を有している。
【００１１】
この平面視および側面視において斜め方向に延設する引張材により、鉛直荷重と地震時水平荷重の双方を引張材が負担することが可能になる。なお、ここで、「平面的に見て」、「平面視」とは、張弦梁構造体をその上方から見た場合を意味しており、「側面視」とは、張弦梁構造体をその側方（妻行き方向や桁行き方向）から見た場合を意味している。
【００１２】
張弦梁構造体において特に側面視で斜め方向の引張材を採用したことで、この引張材が斜め方向ゆえに、屋根架構等の死荷重等による鉛直力を負担する成分と地震時水平力を負担する成分の二方向の成分を有することから、従来の張弦梁構造体のように屋根面内の水平ブレス材を不要とすることができ、部材数の大幅な低減を図ることが可能になる。
【００１３】
そして、この部材数の大幅な低減により、張弦梁構造体をスリム化することができ、このことによって意匠性を向上させることができる。なお、この「部材数の低減」とは、文字通り部材の数を低減することのみならず、部材の寸法を小さくすることをも含んでいる。
【００１４】
なお、平面的に見た際に妻行き方向と桁行き方向以外の斜め方向に引張材が配設された構造に関し、アーチ構造体ではこのような構造は従来にも存在するが、張弦梁構造体に斜め方向の引張材を適用した構造は従来には存在しない。
【００１５】
このように張弦梁構造に対して斜め方向の引張材を適用する技術思想は、張弦梁構造にテンセグリティ構造（張力複合体構造）の要素を取り入れる技術思想とも言える。
【００１６】
テンセグリティ構造とは、圧縮部材と引張部材を組み合わせて一つのユニットを構成し、このユニットに外力を付与した際にユニットが変形しながらもユニット構造を保持する構造のことであり、構造部材は細い棒部材やロープ等から構成されるのが一般的である。
【００１７】
平面視的にも側面視的にも斜め方向（三次元的に斜め方向）の引張材を適用したことで、妻行き方向の複数の第１の上弦材と桁行き方向の複数の第２の上弦材、これら二種類の上弦材の格点から垂下された束材と合わせて、テンセグリティ構造が構成されると言える。
【００１８】
本発明の張弦梁構造体は、屋根架構と、屋根架構を支持する柱材や柱材−柱材間に配設された鉛直ブレス材等から構成される鉛直架構から構成される。
【００１９】
そして、本明細書において「屋根架構」とは、文字通りの屋根架構のほかにも、たとえば二階建ての建築物における二階の床スラブ等も含んでいる。
【００２０】
第１の上弦材、第２の上弦材および束材は、鋼製の丸パイプや角パイプなどから形成でき、引張材は、構造用ケーブル、PC鋼線等のPC鋼材などから形成できる。
【００２１】
複数の第１の上弦材、第２の上弦材の交差により、格点は多数形成され得るが、その中で、束材は所定のスパン離れた各格点に垂下される。たとえば、平面視で２つのグリッドに跨るピッチ（１つのグリッドは４つの格点から構成される）で束材を格点に垂下させることができる。
【００２２】
また、束材の下端と束材が垂下されていない格点の間に引張材が架け渡される架け渡し態様も、たとえば、束材の垂下された格点の隣りの格点（他の束材が垂下されていない格点）に架け渡される形態や、束材の垂下された格点から２つのグリッド離れた格点（他の束材が垂下されていない格点）に架け渡される形態などを適用できる。なお、束材の下端と束材が垂下されていない格点の間に架け渡された引張材の長さが長くなる場合は、その途中の格点から短尺の束材を垂下させ、引張材の途中位置をこの短尺の束材で支持させるのが好ましい。
【００２３】
引張材に張力が作用すると、この引張材によって束材が上方に突き上げられ、この束材の突き上げによって上弦材の格点に支点が形成される。そして、このように形成された支点と、既に柱材等で支持された格点（支点）の間において、別途の束材が引張材で上方に突き上げられて形成された格点に別途の支点がさらに形成され、このような支点の形成が繰り返されることで、複数の格点に幾つかの支点が形成されていく。
【００２４】
このように複数の支点が形成されることで上弦材のスパン（支点間距離）を短くすることが可能になる。上弦材の支点間距離が短くなることにより、上弦材に作用する曲げモーメントが低減することから、上弦材の梁高を可及的に低くすることができ、使用する上弦材の小体格化を図ることができる。このような使用部材の小体格化によっても、屋根架構構成部材のスリム化に繋がる。
【発明の効果】
【００２５】
以上の説明から理解できるように、本発明の張弦梁構造体によれば、その構成要素である屋根架構に、平面視的にも側面視的にも斜め方向（三次元的に斜め方向）の引張材を適用したことにより、この引張材が鉛直荷重と地震時水平荷重の双方を負担することができ、このことによって従来の張弦梁構造体が具備する屋根面内の水平ブレス材を不要とすることができる。このように水平ブレス材を不要とすることで部材数の大幅な低減を図ることができ、このことが張弦梁構造のスリム化に繋がり、このスリム化によって意匠性を向上させることができる。
【図面の簡単な説明】
【００２６】
【図１】本発明の張弦梁構造体の実施の形態を説明した斜視図である。
【図２】（ａ）は図２（ｃ）のａ−ａ矢視図であって張弦梁構造体の妻面から見た側面軸組図であり、（ｂ）は図２（ａ）のｂ−ｂ矢視図であって張弦梁構造体の第１、第２の上弦材を示した平面軸組図であり、（ｃ）は図２（ａ）のｃ−ｃ矢視図であって張弦梁構造体の引張材を示した平面軸組図であり、（ｄ）は図２（ｂ）、（ｃ）のｄ方向の矢視図であって張弦梁構造体の桁行き面から見た側面軸組図である。
【図３】コンピュータ内における張弦梁構造体のモデル図であって、引張材に張力が作用した際に任意の格点に支点が形成されていくことを説明した図である。
【図４】図３に続いて支点が形成されていくことを説明した図である。
【図５】図４に続いて支点が形成されていくことを説明した図である。
【図６】図５に続いて支点が形成されていくことを説明した図である。
【図７】引張材に作用する張力を保持する圧縮力が上弦材に作用しているのを説明した図である。
【発明を実施するための形態】
【００２７】
以下、図面を参照して、本発明の張弦梁構造体の実施の形態を説明する。なお、図示例はあくまでも一例であり、交互に直交する第１、第２の上弦材、格点から鉛直方向に垂下された束材、平面視的にも側面視的にも斜め方向に延設する引張材を備えた屋根架構を含んでいれば多様な構造形態が適用できる。
【００２８】
（張弦梁構造体の実施の形態）
図１は本発明の張弦梁構造体の実施の形態を説明した斜視図である。また、図２（ａ）は図２（ｃ）のａ−ａ矢視図であって張弦梁構造体の妻面から見た側面軸組図であり、図２（ｂ）は図２（ａ）のｂ−ｂ矢視図であって張弦梁構造体の第１、第２の上弦材を示した平面軸組図であり、図２（ｃ）は図２（ａ）のｃ−ｃ矢視図であって張弦梁構造体の引張材を示した平面軸組図であり、図２（ｄ）は図２（ｂ）、（ｃ）のｄ方向の矢視図であって張弦梁構造体の桁行き面から見た側面軸組図である。
【００２９】
図１で示すように、図示する張弦梁構造体３０は、屋根架構１０と、屋根架構１０を支持する柱材６および方杖材７からなる鉛直架構２０と、から大略構成されている。
【００３０】
図１、図２（ｂ）で示すように、屋根架構１０は、妻行き方向の複数の第１の上弦材１と桁行き方向の複数の第２の上弦材２を主たる構成部材とし、これらが相互に直交して複数の格点３を形成している。
【００３１】
この複数の格点３のうち、幾つかの格点３からは鉛直方向に長尺の束材４Ａと短尺の束材４Ｂが垂下されている。
【００３２】
ここで、第１の上弦材１、第２の上弦材２および束材４Ａ，４Ｂは、鋼製の丸パイプや角パイプなどから形成されている。
【００３３】
また、長尺の束材４Ａの下端と束材４Ａ，４Ｂが垂下されていない格点３の間には引張材５が架け渡されている。
【００３４】
具体的には、図２（ａ）、（ｃ），（ｄ）で示すように、引張材５を平面視的に見た際に、引張材５は、２つのグリッド（１つのグリッドは４つの格点３と各格点３同士を繋ぐ第１、第２の上弦材１，２で包囲された正方形）の対角線方向に伸びている。
【００３５】
また、図２（ａ），（ｄ）で示すように、引張材５を側面視的に見た際に、平面視と同様に引張材５は斜め方向に伸びており、２つのグリッドの対角線間に伸びる引張材５はその途中位置に存在する格点３から垂下された短尺の束材４Ｂにて、引張材５の途中位置が支持されている。
【００３６】
ここで、引張材５は、構造用ケーブル、PC鋼線等のPC鋼材などから形成されている。
【００３７】
張弦梁構造体３０を構成する屋根架構１０が、平面視的にも側面視的にも斜め方向に延設する引張材５を具備することで、この引張材５が斜め方向ゆえに、鉛直力（屋根架構の死荷重等）を負担する成分と地震時水平力を負担する成分の二方向の成分を有することになる。したがって、従来の張弦梁構造体のように屋根面内の水平ブレス材を不要とすることができ、部材数の大幅な低減を図ることが可能になる。
【００３８】
そして、この部材数の大幅な低減により、屋根架構１０および張弦梁構造体３０をスリム化することができ、このことによって屋根架構１０および張弦梁構造体３０の意匠性を向上させることができる。
【００３９】
次に、図３〜６を参照して、任意の引張材に張力が作用した際に任意の格点に支点が順次形成されていくことを説明する。
【００４０】
ここで、図３はコンピュータ内における張弦梁構造体のモデル図であって、引張材に張力が作用した際に任意の格点に支点が形成されていくことを説明した図である。また、図４〜６は順次支点が形成されていくことを説明した図である。
【００４１】
図３で示すように、張弦梁構造体３０の桁行方向においては、柱材６の下端から延びる方杖材７の端部が支持する格点３は支点８Ａ３〜８Ａ７，８Ａ１０〜８Ａ１４となり、引張材５の端部が各支点８Ａ３〜８Ａ７，８Ａ１０〜８Ａ１４に固定される。
【００４２】
また、妻行き方向においては、柱材６の上端が支点８Ａ１，８Ａ２，８Ａ８，８Ａ９となり、引張材５の端部が各支点８Ａ１，８Ａ２，８Ａ８，８Ａ９に固定される。
【００４３】
また、第１、第２の上弦材１，２によって形成される正方形のグリッドに関し、４つのグリッドの中央位置の格点３に長尺の束材４Ａが垂下され、４つのグリッドの隅角部の格点３に短尺の束材４Ｂが垂下されている。
【００４４】
引張材５は、長尺の束材４Ａの下端からグリッドの対角線方向に延設し、次のグリッドの対角線を跨いだ格点３（束材４Ａ，４Ｂが存在しない格点３）まで延設しており、引張材５の途中位置が短尺の束材４Ｂで支持されている。
【００４５】
図４で示すように、張弦梁構造体３０に屋根架構１０の死荷重が作用し、支点８Ａ２、８Ａ４と、任意の格点３から垂下された束材４Ａに跨る引張材５，５に張力が作用すると（Ｘ１方向）、張力が作用した引張材５，５によって束材４Ａが上方に突き上げられ（Ｙ１方向）、この束材４Ａの突き上げによって格点３に新たな支点８Ｂが形成される。
【００４６】
次に、図５で示すように、新たに形成された支点８Ｂ、既に存在する支点８Ａ１２と、任意の格点３から垂下された束材４Ａに跨る引張材５，５に張力が作用すると（Ｘ１方向）、張力が作用した引張材５，５によって束材４Ａが上方に突き上げられ（Ｙ１方向）、この束材４Ａの突き上げによって格点３に新たな支点８Ｃが形成される。
【００４７】
さらに、図６で示すように、新たに形成された支点８Ｃ、既に存在する支点８Ａ６と、任意の格点３から垂下された束材４Ａに跨る引張材５，５に張力が作用すると（Ｘ１方向）、張力が作用した引張材５，５によって束材４Ａが上方に突き上げられ（Ｙ１方向）、この束材４Ａの突き上げによって格点３に新たな支点８Ｄが形成される。
【００４８】
このように、引張材５に張力が作用すると、この引張材５によって束材４Ａが上方に突き上げられ、この束材４Ａの突き上げによって第１、第２の上弦材１，２の格点３に支点８Ｂ，８Ｃ，８Ｄ等が形成される。このように形成された支点８Ｂ，８Ｃ，８Ｄ等と、既に柱材６等で支持された格点３（支点８Ａ２）等の間において、別途の束材４Ａが引張材５で上方に突き上げられて形成された格点３に別途の支点がさらに形成されていく。そして、このような支点の形成が繰り返されることにより、複数の格点３に幾つかの支点が形成されることになる。
【００４９】
このように複数の支点が形成されることにより、第１、第２の上弦材１，２のスパン（支点間距離）が短くなる。
【００５０】
第１、第２の上弦材１，２の支点間距離が短くなることにより、第１、第２の上弦材１，２に作用する曲げモーメントが低減することから、第１、第２の上弦材１，２の梁高を可及的に低くすることができ、使用する上弦材の小体格化を図ることができる。そして、このような使用部材の小体格化によっても、屋根架構１０の構成部材のスリム化に繋がる。
【００５１】
また、図７は、引張材に作用する張力を保持する圧縮力が上弦材に作用しているのを説明した図である。
【００５２】
図示するように、引張材５に張力が作用することにより（Ｘ１方向）、４つの引張材５で包囲された内側に存在するたとえば第１の上弦材１には圧縮力が作用し（Ｘ２方向）、この圧縮力によって引張材５に作用する張力が保持されることになる。
【００５３】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５４】
１…第１の上弦材、２…第２の上弦材、３…格点、４Ａ…束材（長尺の束材）、４Ｂ…束材（短尺の束材）、５…引張材、６…柱材、７…方杖材、８Ａ１〜８Ａ１４…支点、８Ｂ、８Ｃ、８Ｄ…支点、１０…屋根架構、２０…鉛直架構、３０…張弦梁構造体
【要約】 
【課題】張弦梁構造を採用しながら、屋根架構の構造部材数をより低減し、かつ部材をスリム化することで意匠性を向上させることのできる張弦梁構造体を提供すること。
【解決手段】妻行き方向の複数の第１の上弦材１と桁行き方向の複数の第２の上弦材２が交互に直交して複数の格点３を形成し、全ての格点３のうちの幾つかの格点３から鉛直方向に束材４Ａが垂下され、平面的に見て妻行き方向および桁行き方向以外の斜め方向に延びる引張材５が、束材４Ａの下端と束材４Ａが垂下されていない格点３の間に架け渡されている、屋根架構１０を備えている、張弦梁構造体３０である。
【選択図】図１【図１】
0005902343.tif 000002
【図２】
0005902343.tif 000003
【図３】
0005902343.tif 000004
【図４】
0005902343.tif 000005
【図５】
0005902343.tif 000006
【図６】
0005902343.tif 000007
【図７】
0005902343.tif 000008